(57)【特許請求の範囲】
【請求項１】
紙幣識別機に対して着脱可能に取り付けられる紙幣収納庫の着脱装置において、
前記紙幣収納庫の両側面から背面の中央に向かってそれぞれ延出し、その延出方向にスライド可能に前記紙幣収納庫の背面に装着されていて、それぞれ、前記紙幣収納庫の側面から外側に突出して前記紙幣識別機の本体に係止されるラッチ部と、前記紙幣収納庫の背面の中央側に設けられて互いに接近する方向に指が係止される操作部とを有する１対のラッチレバーを備え、
１対の前記ラッチレバーは、それぞれの前記操作部を指で摘むことにより前記紙幣収納庫の中央側にスライドされて、前記ラッチ部の係止を解除する操作と前記紙幣収納庫を前記紙幣識別機から離脱する操作とを連続して行えるようにしたことを特徴とする紙幣収納庫の着脱装置。
【請求項２】
前記ラッチレバーは、Ｌ型に屈曲されて一端が前記紙幣収納庫に固定されるフックを構成し、屈曲部が前記ラッチ部を構成し、他端が指を挿入する穴を有し前記穴に指を挿入して摘まんだときに前記紙幣収納庫の中央に向かって水平方向にスライドするように前記紙幣収納庫の背面に形成された取り付け溝に嵌め込まれる前記操作部を構成するようプラスチックで一体に形成されていることを特徴とする請求項１記載の紙幣収納庫の着脱装置。
【請求項３】
前記ラッチレバーは、前記ラッチ部と前記操作部との間に、収納可能枚数の増加に伴う紙幣収納庫の奥行き寸法の増加分に相当する長さを持った補助アーム部を有していることを特徴とする請求項２記載の紙幣収納庫の着脱装置。
【請求項４】
前記ラッチレバーは、前記補助アーム部の長さに応じて前記操作部のスライド量を変えるようにしたことを特徴とする請求項３記載の紙幣収納庫の着脱装置。
【発明の詳細な説明】
【０００１】
【発明の属する技術分野】
本発明は紙幣収納庫の着脱装置に関し、特に自動販売機や券売機などに搭載された紙幣識別機において、取り引きが完了した紙幣を積み重ね収納しておく紙幣収納庫の着脱を容易にする、紙幣収納庫の着脱装置に関する。
【０００２】
【従来の技術】
自動販売機などに使われている紙幣識別機は、紙幣が投入されると、その投入された紙幣を搬入しながら金種および真贋を判別し、紙幣搬送路の一番奥にある一時保留部に保留しておき、商品の取り引きが完了すると、プッシャと呼ばれる装置により、保留されていた紙幣を一時保留部から紙幣収納庫に移し替えて、その紙幣収納庫に積み重ね収納するようにしている。
【０００３】
ここで、自動販売機に搭載されている識別装置では、一般に、紙幣収納庫は着脱自在な構造にしてある。これは、着脱式の紙幣収納庫は、以下のような利便性を有していることによる。
【０００４】
まず、自動販売機に搭載された紙幣識別機には、位置的に自動販売機内の高い場所に設置されている場合がある。そのような場合に、収納されている紙幣を回収するとき、紙幣収納庫から紙幣を引き抜くことになるが、その作業を高い位置で行わなければならないことから、紙幣収納庫を着脱自在な構造にして、回収時に、紙幣収納庫を取り外すようにすることで、収納された紙幣の手元での回収が容易になる。
【０００５】
また、野外での紙幣回収は危険を孕んでいるが、紙幣を収納した紙幣収納庫を取り外して持ち運びできるようにすることで、安全な場所での収納紙幣の処理が可能となる。
【０００６】
さらに、紙幣収納庫が固定式の場合には、紙幣を収納することができる枚数も限定されてしまうが、着脱可能とすることにより、必要に応じて収納枚数の異なる別の紙幣収納庫に容易に交換することが可能になる。
【０００７】
このため、従来の紙幣識別機では、紙幣収納庫を着脱可能にするため、紙幣収納庫の片側面または両側面にラッチ機構を備え、紙幣収納庫を紙幣識別機の本体に装着したときにラッチが掛かって紙幣収納庫が紙幣識別機の本体に固定され、ラッチレバーを操作してラッチを解除することで紙幣収納庫を紙幣識別機の本体から取り外すことができるようにしている。
【０００８】
あるいは、紙幣収納庫内にこれを貫通して背面側にラッチレバーが横架され、紙幣収納庫の両側にてラッチが掛かるようにしたものもある。このようなラッチ機構を有する紙幣収納庫では、そのラッチレバーの中央部を１本の指で操作することにより両側のラッチを解除し、紙幣収納庫を紙幣識別機の本体から取り外すことができるようにしている。
【０００９】
【発明が解決しようとする課題】
しかしながら、従来の紙幣収納庫では、その両側面にラッチ機構を備えているため、ラッチを解除するには両側面にあるラッチレバーを同時に操作する必要があることから、手の小さい人は指が両側面のラッチレバーに届かず、片手での操作ができないことがある。これに対し、ラッチレバーを紙幣収納庫の片側面のみに備えているものもあるが、この場合、取り外すときの操作性はよくなる。しかし、プッシャが紙幣を紙幣収納庫に押し込む際にその押し込みが紙幣収納庫を取り出す外側方向と同じ方向に作用するため、片側だけのラッチでは紙幣収納庫が歪んでしまう場合があり、しかも、紙幣収納庫の本体を樹脂製にした場合には強度を保つことができないという問題点があった。
【００１０】
また、紙幣収納庫は、ラッチを解除するだけなら従来の構成でよいが、これを紙幣識別機の本体から離脱するには、それを持ち替えて本体から引き抜く必要があり、ラッチ解除とは別の操作を必要とするという問題点があった。
【００１１】
本発明はこのような点に鑑みてなされたものであり、ラッチ解除の操作性と、引き続いて行われる紙幣収納庫の紙幣識別機からの離脱操作とを容易にした紙幣収納庫の着脱装置を提供することを目的とする。
【００１２】
【課題を解決するための手段】
本発明では上記問題を解決するために、紙幣識別機に対して着脱可能に取り付けられる紙幣収納庫の着脱装置において、前記紙幣収納庫の両側面から背面の中央に向かってそれぞれ延出し、その延出方向にスライド可能に前記紙幣収納庫の背面に装着されていて、それぞれ、前記紙幣収納庫の側面から外側に突出して前記紙幣識別機の本体に係止されるラッチ部と、前記紙幣収納庫の背面の中央側に設けられて互いに接近する方向に指が係止される操作部とを有する１対のラッチレバーを備え、１対の前記ラッチレバーは、それぞれの前記操作部を指で摘むことにより前記紙幣収納庫の中央側にスライドされて、前記ラッチ部の係止を解除する操作と前記紙幣収納庫を前記紙幣識別機から離脱する操作とを連続して行えるようにしたことを特徴とする紙幣収納庫の着脱装置が提供される。
【００１３】
このような紙幣収納庫の着脱装置によれば、１対のラッチレバーの各操作部を紙幣収納庫の背面に配置したことにより、ラッチ解除の操作を指による摘まみにより行うことができるため、ラッチ解除の操作性を向上させることができる。また、紙幣収納庫を紙幣識別機本体から離脱する場合には、ラッチ解除操作で既に紙幣収納庫を摘まんでいるため、紙幣収納庫の本体からの離脱を、ラッチ解除操作の延長で容易に行うことができる。
【００１４】
【発明の実施の形態】
以下、本発明の実施の形態を図面を参照して詳細に説明する。
図１は本発明の第１の実施の形態に係る紙幣収納庫の着脱装置を構成するラッチレバーを示す斜視図、図２は紙幣収納庫に取り付けられる１対のラッチレバーを示す斜視図、図３は１対のラッチレバーを取り付けた状態を示す紙幣収納庫の斜視図、図４は取り付け状態を示すラッチレバーの断面図である。
【００１５】
ラッチレバー１は、その一端が紙幣収納庫６に固定するためのフック２を構成している。このフック２は、アーム部３を介してＬ型に屈曲されたラッチ部４が形成されている。このＬ型に屈曲されたラッチ部４の他端は、操作部５を構成している。この操作部５は、紙幣収納庫６の取り外し操作時に指先を挿入するための半円形の穴が設けられている。ラッチレバー１のこれらの各機能部は、可撓性のあるプラスチック製で一体に形成されている。
【００１６】
このラッチレバー１を紙幣収納庫に取り付ける場合、図２に示したように、２つのラッチレバー１をそのフック２が外側に、操作部５が内側になるよう対称配置した形で取り付けられる。
【００１７】
この１対のラッチレバー１は、紙幣収納庫６の両側面に図３に示したように取り付けられる。このため、紙幣収納庫６の本体側においては、その両側面にラッチレバー１のフック２を装着固定するフック装着部７が形成され、背面側には、ラッチレバー１の操作部５を背面の面に平行な方向にスライド可能に嵌め込むことができるように形成されている。
【００１８】
すなわち、図４の断面図で示したように、ラッチレバー１のフック２は、それに形成された穴に、紙幣収納庫６の側面に形成されたフック装着部７の凸部８を嵌め込むことでワンタッチで紙幣収納庫６に装着固定することができる。また、ラッチレバー１の操作部５は、その形状に合わせて紙幣収納庫６の背面に形成された取り付け溝に嵌合され、スライド操作時に操作部５の先端部９は紙幣収納庫６の背面から外れないよう、紙幣収納庫６の背面の内側に差し込んである。ラッチレバー１は、その操作部５がストロークａの可動範囲をもってスライドさせることができ、そのストロークａの分だけ、ラッチ部４を紙幣収納庫６の側面側に移動させることができる。
【００１９】
図５は紙幣収納庫が取り付けられた紙幣識別機を示す斜視図である。
ここで、紙幣収納庫６は、紙幣をたとえば１００枚収納することができる容量を有する標準仕様の製品である。この紙幣収納庫６をフレーム１０に取り付けられ、このフレーム１０に取り付けられた識別ユニット１１および図示しないプッシャとともに紙幣識別機１２を構成している。フレーム１０の両側面には、紙幣収納庫６を取り付けた際にラッチレバー１のラッチ部４を係止するようにした係止部１３が設けられている。この係止部１３は、フレーム１０の両側面の先端部を部分的に内側に折り曲げることによって形成されている。
【００２０】
紙幣収納庫６が紙幣識別機１２から取り外された状態では、ラッチレバー１はそのアーム部３がフック２からラッチ部４にかけて外側に広がるように形成されているので、ラッチ部４の角の部分が紙幣収納庫６から外側方向へ突出した状態になっている。
【００２１】
紙幣収納庫６をフレーム１０に装着するときは、紙幣収納庫６をフレーム１０内に押し込むことにより、ラッチレバー１のアーム部３の外表面が係止部１３の先端を摺動していき、かつラッチ部４および操作部５が内側方向へ押されて内側方向へスライドしながら紙幣収納庫６が押し込まれていく。そして、ラッチレバー１のラッチ部４が係止部１３を乗り越えたときに、ラッチレバー１のアーム部３が持つプラスチック特有のばね性により、ラッチ部４および操作部５が外側にスライドし、ラッチ部４が係止部１３に係止してラッチが掛けられる。
【００２２】
次に、紙幣収納庫６がフレーム１０に取り付けられている状態から、紙幣収納庫６をフレーム１０から取り外す場合について説明する。
図６はラッチを解除して紙幣収納庫を引き起こした状態を示す紙幣識別機を示す図、図７は紙幣収納庫をフレームから離脱した状態を示す図である。
【００２３】
紙幣収納庫６を取り外す場合には、まず、２つのラッチレバー１の操作部５の穴に親指および人差し指をそれぞれ挿入し、両指で摘まむようにする。これにより、ラッチレバー１の操作部５は、矢印１４で示したように、互いに中央にスライドされ、これに伴って、アーム部３がたわみ、ラッチ部４も互いに中央に向かって移動されていって、ラッチ部４がフレーム１０の係止部１３から外れたところでラッチが外れ、紙幣収納庫６は開放される。
【００２４】
次に、ラッチレバー１の操作部５を摘まんだまま、矢印１５で示したように、紙幣収納庫６を手前に引き倒す。
引き続いて、紙幣収納庫６を本体から離脱したい場合は、図７に示したように、操作部５を摘まんだその状態のまま、紙幣収納庫６を矢印１６の方向に引き抜くことにより離脱することができる。
【００２５】
このように、紙幣収納庫６のラッチの解除と本体からの離脱とを、紙幣収納庫６の背面に設けられたラッチレバー１の操作部５を片手で摘まみ、さらにその摘まんだままの状態で紙幣収納庫６を引き上げるという一連の操作を片手で実現することができる。
【００２６】
図８は本発明の第２の実施の形態に係る紙幣収納庫の着脱装置を構成するラッチレバーを示す斜視図、図９は１対のラッチレバーを取り付けた状態を示す紙幣収納庫の斜視図、図１０は紙幣収納庫が取り付けられた紙幣識別機を示す斜視図である。
【００２７】
この第２の実施の形態に係る紙幣収納庫の着脱装置を構成するラッチレバー２０は、フック２１、アーム部２２およびラッチ部２３に続いて補助アーム部２４が形成され、さらに、この補助アーム部２４からＬ型に屈曲されて操作部２５が設けられている。
【００２８】
このラッチレバー２０は、紙幣を多数枚収納することができる紙幣収納庫に使用される。図９に示した紙幣収納庫２６は、収納可能な枚数が２００枚であり、図３に示した紙幣収納庫６の倍の容量を有している。このため、紙幣収納庫２６の奥行き寸法の増加分２７に合わせてほぼ倍になっている。
【００２９】
ラッチレバー２０は、機能的には標準型のラッチレバー１と同じだが、紙幣収納庫２６を装着するフレーム１０は、共通であるので、ラッチ部２３の寸法関係は標準型のラッチレバー１と同じである。したがって、ラッチレバー２０は、紙幣収納庫２６の奥行き寸法の増加分２７に相当する長さ分だけ補助アーム部２４により延長されている。
【００３０】
このように、ラッチレバー２０を取り付けた紙幣収納庫２６をフレーム１０に装着した場合は、図１０に示したように、紙幣収納庫２６は、フレーム１０の係止部１３よりも奥行き寸法の増加分２７だけ突出した状態で装着され、その増加分２７が補助アーム部２４によって延長されていることが分かる。
【００３１】
ここでは、２００枚収納仕様の紙幣識別機の例を示したが、この他にもさらに収納枚数の多い紙幣収納庫を装着することができる。この場合も同様に、紙幣収納庫の奥行き寸法の増加分に相当する長さ分だけ補助アーム部により延長すればよい。
【００３２】
ただし、補助アーム部が長くなる程この部分でのたわみが発生し、操作部の摘まみ量がそのままアーム部のたわみにつながらず、ラッチ部が外れないことが発生する。このため、操作部を摘まんだ際の水平スライド量を増加させることで、ラッチの解除不良をなくしている。すなわち、操作部のスライド可能なストロークが大きくなるように紙幣収納庫の背面に形成される取り付け溝を形成して、アーム部のたわみ分を吸収するようにする。
【００３３】
【発明の効果】
以上説明したように、本発明では、紙幣収納庫の両側面に１対のラッチレバーを備え、それらラッチレバーの延長部分を、紙幣収納庫の背面に操作部として配置する構成にした。これにより、紙幣収納庫の背面にて、ラッチレバーの操作部を摘まんで中央に向かって水平方向にスライドさせることで、ラッチを解除できることから、ラッチ解除の操作性が向上し、さらに、紙幣収納庫を本体から離脱する場合には、ラッチ解除操作で既に紙幣収納庫を摘まんでいるため、そのままの状態で紙幣収納庫を本体から引き出すことができ、紙幣収納庫の本体からの離脱を紙幣収納庫の開放操作の延長で容易に行うことが可能になる。
【００３４】
また、ラッチレバーの操作部が紙幣収納庫の背面にコンパクトに形成されているため、比較的手の小さい人でも紙幣収納庫のラッチ解除と本体からの離脱とを行う開放動作を容易に行うことができる。
【図面の簡単な説明】
【図１】本発明の第１の実施の形態に係る紙幣収納庫の着脱装置を構成するラッチレバーを示す斜視図である。
【図２】紙幣収納庫に取り付けられる１対のラッチレバーを示す斜視図である。
【図３】１対のラッチレバーを取り付けた状態を示す紙幣収納庫の斜視図である。
【図４】取り付け状態を示すラッチレバーの断面図である。
【図５】紙幣収納庫が取り付けられた紙幣識別機を示す斜視図である。
【図６】ラッチを解除して紙幣収納庫を引き起こした状態を示す紙幣識別機を示す図である。
【図７】紙幣収納庫をフレームから離脱した状態を示す図である。
【図８】本発明の第２の実施の形態に係る紙幣収納庫の着脱装置を構成するラッチレバーを示す斜視図である。
【図９】１対のラッチレバーを取り付けた状態を示す紙幣収納庫の斜視図である。
【図１０】紙幣収納庫が取り付けられた紙幣識別機を示す斜視図である。
【符号の説明】
１  ラッチレバー
２  フック
３  アーム部
４  ラッチ部
５  操作部
６  紙幣収納庫
７  フック装着部
８  凸部
９  先端部
１０  フレーム
１１  識別ユニット
１２  紙幣識別機
１３  係止部
２０  ラッチレバー
２１  フック
２２  アーム部
２３  ラッチ部
２４  補助アーム部
２５  操作部
２６  紙幣収納庫
２７  増加分
【図１】
0004370718.tif 000002
【図２】
0004370718.tif 000003
【図３】
0004370718.tif 000004
【図４】
0004370718.tif 000005
【図５】
0004370718.tif 000006
【図６】
0004370718.tif 000007
【図７】
0004370718.tif 000008
【図８】
0004370718.tif 000009
【図９】
0004370718.tif 000010
【図１０】
0004370718.tif 000011